(57)【要約】      （修正有）【課題】耐アウトガス性及び段差追従性を有し、且つ偏光板を介して良好な視認性が得られる光学積層体及びこれを備えたタッチ入力装置を提供する。【解決手段】タッチ入力装置Ｔ１は、光学積層体Ｌ１を備え、光学積層体Ｌ１は、アウトガスを発生可能な第１層１００ａと、第２層１００ｂと、段差Ｓと、位相差層２００と、第１粘着層３００ａと、第２粘着層３００ｂとを備える。段差Ｓは、第１層１００ａ及び第２層１００ｂの被着面上の少なくとも一方にある。第１粘着層３００ａは、第１層１００ａと位相差層２００の第１被着面２０１とを貼り合わせ、且つ第１層１００ａと第１粘着層３００ａとの界面にアウトガスが発生することを抑制する硬さを有する。第２粘着層３００ｂは、第２層１００ｂの被着面１０１ｂと位相差層２００の第２被着面２０２とを貼り合わせ、第１粘着層３００ａよりも柔軟で、第２層１００ｂの段差Ｓを吸収する硬さを有する。【選択図】図１Ａ
2018045567.tif 000002
【特許請求の範囲】
【請求項１】
光学積層体を通じて画像表示装置の表示を視認可能な程度の透明性を有する前記光学積層体において、
アウトガスを発生可能な素材で構成されており且つ被着面を有する第１層と、
被着面を有する第２層と、
前記第１層の前記被着面上及び前記第２層の前記被着面上の少なくとも一方にある段差と、
前記第１層と前記第２層との間に配置されており、且つ前記第１層側に位置する第１被着面及び前記第２層側に位置する第２被着面を有する位相差層と、
前記第１層と前記位相差層の前記第１被着面とを貼り合わせた第１粘着層であって、前記第１層と前記第１粘着層との界面に前記アウトガスが発生することを抑制する硬さを有する前記第１粘着層と、
前記第２層の前記被着面と前記位相差層の前記第２被着面とを貼り合わせた第２粘着層であって、前記第１粘着層よりも柔軟であり、且つ前記第２粘着層が前記第２層の前記段差により歪み、当該段差を吸収する硬さを有する第２粘着層とを備えている光学積層体。
【請求項２】
請求項１記載の光学積層体において、
前記第１層のリタデーション値は、０〜３０００ｎｍであり、
前記位相差層のリタデーション値は、３０００〜３００００ｎｍである光学積層体。
【請求項３】
請求項１〜２の何れか一つに記載の光学積層体において、
前記位相差層の前記第１被着面及び前記第２被着面の少なくとも一方は、プラズマ表面処理又はエキシマ照射処理がなされた構成である光学積層体。
【請求項４】
請求項１〜３の何れか一つに記載の光学積層体において、
前記段差は、以下の１）〜３）の少なくとも一つであり、
１）前記段差は、前記被着面に形成された凸部及び凹部の少なくとも一方であり、
２）前記段差は、前記被着面上に設けられた印刷部であり、
３）前記段差は、前記第２層の前記被着面上に設けられた電極を含む、光学積層体。
【請求項５】
請求項１〜４の何れか一つに記載の光学積層体において、
前記第２層は、光学的に等方、又は前記第２層の遅相軸方向又は進相軸方向が前記位相差層の遅相軸方向又は進相軸方向と略同じである光学積層体。
【請求項６】
請求項１〜５の何れか一つに記載の光学積層体を備えているタッチ入力装置。
【請求項７】
請求項６記載のタッチ入力装置において、
前記段差は、前記第２層の前記被着面上に設けられたＩＴＯ電極を含み、
前記第２粘着層はアクリル酸を含有しないタッチ入力装置。
【発明の詳細な説明】
【技術分野】
【０００１】
本発明は、光学積層体及びこれを備えたタッチ入力装置に関する。
【背景技術】
【０００２】
下記特許文献１には、カバーパネルの被着面と、偏光フィルム又はタッチパネル等とを貼り合わせるための従来の粘着シートが記載されている。カバーパネルは、アウトガスが発生可能である樹脂等で構成されている。カバーパネルの被着面には、加飾印刷部等の段差が設けられている。この粘着シートは、耐アウトガス性及び段差追従性を有している。具体的には以下の通りである。粘着シートは、第１粘着層及び第２粘着層を有している。第１粘着層及び第２粘着層は、互いに積層されており且つ互いに異なる粘弾性挙動を有している。第１粘着層及び第２粘着層の動的剪断貯蔵弾性率Ｇ’（２０℃）及び（１５０℃）を、周波数１Ｈｚ、温度分散で測定したとき、第１粘着層の動的剪断貯蔵弾性率Ｇ’（２０℃）は、カバーパネルの被着面の段差に追従して歪む柔軟性を有する値に設定されている一方、第２粘着層の動的剪断貯蔵弾性率Ｇ’（２０℃）及び（１５０℃）は、カバーパネルの被着面と粘着シートとの界面にアウトガスが発生するのを防止できる値に設定されている。この粘着シートは、第１粘着層及び第２粘着層を貼り合わせているので、両者の界面で剥離が発生する可能性がある。
【０００３】
下記特許文献２には、カバーパネルの被着面と画像表示装置とを貼り合わせるための従来の両面テープが記載されている。カバーパネルは、上記の通りの構成である。両面テープは、基材と、第１粘着層と、第２粘着層とを有している。第１粘着層が基材の第１面とカバーパネルの被着面とに貼付され、且つ第２粘着層が基材の第２面と画像表示装置に貼付される構成であるため、第１、第２粘着層がその界面で剥離することはない。また、両面テープは、耐アウトガス性及び段差追従性を有している。具体的には以下の通りである。第１粘着層は、高温領域（８０℃）において、カバーパネルから発生するアウトガスによって第１粘着層の粘性変形が生じ難い粘弾性を有しているため、カバーパネルの被着面と第１粘着層との界面にアウトガスが発生することを抑制することができる。このように第１粘着層は、耐アウトガス性を有しているものの、第１粘着層の粘性変形が生じ難い粘弾性を有しているため、カバーパネルの被着面の段差に追従することが困難である。しかし、第２粘着層は、高温領域下において、粘性変形が生じ易い粘弾性を有しているため、両面テープ全体の柔軟性が向上している。この両面テープ全体の柔軟性の向上によって、第１粘着層がカバーパネルの被着面の段差に追従できるようになっている。
【先行技術文献】
【特許文献】
【０００４】
【特許文献１】ＷＯ２０１０／０４４２２９
【特許文献２】特開２０１２-１７３８６号公報
【発明の概要】
【発明が解決しようとする課題】
【０００５】
ところで、カバーパネルは位相差を有しているため、使用者が偏光サングラスを着用した状態で、カバーパネルを介して画像表示装置の表示を視認するとき、その視認性が問題になることがある。この問題は、特許文献１及び２では何ら考慮されていない。
【０００６】
本発明は、上記事情に鑑みて創案されたものであって、その目的とするところは、耐アウトガス性及び段差追従性を有し、且つ偏光サングラス等の偏光板を介して良好な視認性が得られる光学積層体及びこれを備えたタッチ入力装置を提供することにある。
【課題を解決するための手段】
【０００７】
上記課題を解決するために、本発明の一態様の光学積層体は、光学積層体を通じて画像表示装置の表示を視認可能な程度の透明性を有している。光学積層体は、第１層、第２層、段差と、位相差層、第１粘着層及び第２粘着層を備えている。第１層はアウトガスを発生可能な素材で構成されており且つ被着面を有している。第２層は被着面を有している。段差は第１層の被着面上及び第２層の被着面上の少なくとも一方にある。位相差層は、第１層と第２層との間に配置されている。位相差層は、第１層側に位置する第１被着面と、第２層側に位置する第２被着面とを有している。第１粘着層は、第１層の被着面と位相差層の第１被着面とを貼り合わせている。第１粘着層は、第１層と第１粘着層との界面にアウトガスが発生することを抑制する硬さを有している。第２粘着層は、第２層の被着面と位相差層の第２被着面とを貼り合わせている。第２粘着層は、第１粘着層よりも柔軟であり、且つ第２粘着層が段差により歪み、当該段差を吸収する硬さを有している。
【０００８】
このような態様の光学積層体による場合、以下の技術的特徴を有している。第１に、第１粘着層が上記硬さを有しているため、第１層と第１粘着層との界面に第１層からアウトガスが発生することを抑制することができる。第２に、光学積層体は良好な段差追従性を有している。具体的には、第２粘着層が上記硬さを有しているため、第２粘着層が段差により歪み（凹み）、当該段差を吸収する。第３に、光学積層体は、第１粘着層と第２粘着層との間に位相差層が設けられているため、偏光板を介して良好な視認性が得られる。
【０００９】
第１層のリタデーション値は、０〜３０００ｎｍとすることが可能である。位相差層のリタデーション値は、３０００〜３００００ｎｍとすることが可能である。
【００１０】
位相差層の第１被着面及び第２被着面の少なくとも一方は、プラズマ表面処理又はエキシマ照射処理がなされた構成とすることが可能である。このような態様の光学積層体による場合、第１粘着層と位相差層の第１被着面の粘着性を向上させることができ、及び／又は第２粘着層と位相差層の第２被着面の粘着性を向上させることができる。
【００１１】
段差は、以下の１）〜３）の少なくとも一つとすることが可能である。１）段差は、被着面に形成された凸部及び凹部の少なくとも一方とすることが可能である。２）段差は、被着面上に設けられた印刷部とすることが可能である。３）段差は、第２層の被着面上に設けられた電極を含む構成とすることが可能である。
【００１２】
第２層は、光学的に等方、又は、第２層の遅相軸方向又は進相軸方向が位相差層の遅相軸方向又は進相軸方向と略同じとすることが可能である。このような態様の光学積層体による場合、画像表示装置から照射された直線偏光の光が、第２層に入射することによって乱れ、乱れた直線偏光の光が位相差層に入射することを抑制することができる。
【００１３】
本発明のタッチ入力装置は、上記した何れかの態様の光学積層体を備えていると良い。
【００１４】
段差が第２層の被着面上に設けられたタッチ入力装置のＩＴＯ電極を含む構成とすることが可能である。この場合、第２粘着層はアクリル酸を含有しない構成とすることが可能である。このような態様の光学積層体による場合、第２粘着層にアクリル酸が含まれていないため、アクリル酸によってＩＴＯ電極が腐食することを防ぐことができる。
【００１５】
第２粘着層の厚みは、第１粘着層の厚みより大きく、且つ第２粘着層が段差により歪むのに適した厚みを有していると良い。
【図面の簡単な説明】
【００１６】
【図１Ａ】本発明の実施例１に係るタッチ入力装置の概略的断面図であり、且つ前記タッチ入力装置、画像表示装置及び偏光板との位置関係を説明するための図である。
【図１Ｂ】前記光学積層体の概略的平面図である。
【図２Ａ】本発明の実施例２に係るタッチ入力装置の概略的断面図であり、且つ前記タッチ入力装置、画像表示装置及び偏光板との位置関係を説明するための図である。
【図２Ｂ】前記別の態様の光学積層体の概略的平面図である。
【図３】本発明の実施例３に係るタッチ入力装置の概略的断面図であり、且つ前記タッチ入力装置、画像表示装置及び偏光板との位置関係を説明するための図である。
【発明を実施するための形態】
【００１７】
以下、本発明の実施例１〜３について説明する。
【実施例１】
【００１８】
以下、本発明の実施例１を含む複数の実施例に係るタッチ入力装置Ｔ１について図１Ａ及び図１Ｂを参照しつつ説明する。図１Ａ〜図１Ｂには、実施例１に係るタッチ入力装置Ｔ１が示されている。タッチ入力装置Ｔ１は、光学積層体Ｌ１を備えている。光学積層体Ｌ１は、画像表示装置Ｄの前側（光の照射側）に配置可能である。また、光学積層体Ｌ１は、サングラス等の偏光板Ｐと画像表示装置Ｄとの間に配置することも可能である。ユーザーは、偏光板Ｐ及び光学積層体Ｌ１を通じて画像表示装置Ｄの表示を視認可能であるし、偏光板Ｐを介さず光学積層体Ｌ１を通じて画像表示装置Ｄの表示を視認可能である。このため、光学積層体Ｌ１は、光学積層体Ｌ１を通じて画像表示装置Ｄの表示を視認可能な程度の透明性を有している。光学積層体Ｌ１は、部分的に透明であっても良いし、全体的に透明であっても良い。なお、画像表示装置Ｄは、例えば、液晶ディスプレイ (ＬＣＤ）、プラズマディスプレイ （ＰＤＰ）、有機ＥＬディスプレイ （ＯＬＥＤ）、又はＤＬＰプロジェクタ （ＤＬＰ）等であって、直線偏光の光を照射可能である。画像表示装置Ｄの光源は、例えば、ＬＥＤ等である。
【００１９】
図１Ａに示されるＺ−Ｚ’方向は、光学積層体Ｌ１の厚み方向に相当する。Ｚ方向は、画像表示装置Ｄの光の射出方向に相当し、Ｚ’方向は射出方向の反対方向に相当する。図１Ａ及び図１Ｂに示されるＹ−Ｙ’方向は、光学積層体Ｌ１の長手方向に相当する。Ｙ−Ｙ’方向はＺ−Ｚ’方向に直交している。図１Ｂに示されるＸ−Ｘ’方向は、光学積層体Ｌ１の短手方向に相当する。Ｘ−Ｘ’方向は、Ｚ−Ｚ’方向及びＹ−Ｙ’方向に直交している。
【００２０】
光学積層体Ｌ１は、第１層１００ａと、第２層１００ｂと、少なくとも一つの段差Ｓと、位相差層２００と、第１粘着層３００ａと、第２粘着層３００ｂとを備えている。以下、光学積層体Ｌ１の構成要素について詳しく説明する。
【００２１】
第１層１００ａは、光学積層体Ｌ１の最表層（光学積層体Ｌ１においてＺ方向側の最も外側層）であっても良いし、光学積層体Ｌ１の中間層であっても良い。前者の場合、第１層１００ａは、図１Ａに示すようにタッチ入力装置Ｔ１のカバーパネルとすることが可能である。第１層１００ａは、ハードコート層、アンチグレア層、反射防止層、低反射層、電極基材層、保護層、アンチニュートン層、強度保持層、及び／又は防汚層であっても良い。勿論、第１層１００ａが、カバーパネルであり且つ前述の層の少なくとも一つの層であっても良い。第１層１００ａは、アウトガスが発生可能であり且つ第１層１００ａを通じて画像表示装置Ｄの表示を視認可能な程度の透明性を有する樹脂等の素材で構成されている。例えば、第１層１００ａは、ポリカーボネート（ＰＣ）やポリメタクリル酸メチル樹脂（ＰＭＭＡ）等で構成されていても良い。第１層１００ａは、部分的に透明であっても良いし、全体的に透明であっても良い。第１層１００ａの外形は、第２層１００ｂの外形と同じでも良いし、第２層１００ｂの外形よりも大きくても良い。なお、第１層１００ａは、押出成形、共押出成形又は射出成形によって作成可能である。  
【００２２】
第１層１００ａのリタデーション値は、０〜３０００ｎｍとすることができるが、これに限定されない。第１層１００ａは、光学的に等方であっても良い。第１層１００ａの遅相軸方向又は進相軸方向は、所定の一定方向に向いていても良いし（例えば、第１層１００ａの遅相軸方向又は進相軸方向が位相差層２００の遅相軸方向又は進相軸方向と同じであっても良い。）、任意方向に向いていても良い（すなわち、面内においてランダムであっても良い。）。第１層１００ａは、第２層１００ｂ側（Ｚ’方向側）の被着面１０１ａを有している。
【００２３】
第２層１００ｂは、第１層１００ａよりもＺ’方向側に配置されている。第２層１００ｂは、第２層１００ｂを通じて画像表示装置Ｄの表示を視認可能な程度の透明性を有する樹脂等で構成されている。例えば、第２層１００ｂは、ポリカーボネート（ＰＣ）、シクロオレフィンポリマー（ＣＯＰ）、ポリエチレンテレフタレート（ＰＥＴ）又はガラス基板等で構成されていても良い。第２層１００ｂは、部分的に透明であっても良いし、全体的に透明であっても良い。
【００２４】
第２層１００ｂは、光学的に等方であっても良いし、第２層１００ｂの遅相軸方向又は進相軸方向が位相差層２００の遅相軸方向又は進相軸方向と同じであっても良い。第２層１００ｂは、第１層１００ａ側（Ｚ方向側）の被着面１０１ｂを有している。
【００２５】
少なくとも一つの段差Ｓは、第１層１００ａの被着面１０１ａ及び第２層１００ｂの被着面１０１ｂの少なくとも一方上にあり、且つＺ’方向側（第２粘着層３００ｂ側）に凸である。段差Ｓは、以下の１）〜３）の少なくとも一つとすることが可能である。
【００２６】
１）少なくとも一つの段差Ｓは、被着面１０１ａ及び／又は被着面１０１ｂに設けられた凸部及び凹部の少なくとも一方である。例えば、段差Ｓは、被着面１０１ａ及び／又は被着面１０１ｂの面精度上の一番高い所（Peak）と一番低い所（Valley）の差（凸部及び／又は凹部）により生じていても良い。又は、段差Ｓは、タッチ入力装置Ｔ１のデザイン上又は機能上の観点から、被着面１０１ａ及び／又は被着面１０１ｂ上に意図的に設けられた凸部及び凹部の少なくとも一方であっても良い。
【００２７】
２）少なくとも一つの段差Ｓは、被着面１０１ａ及び／又は被着面１０１ｂ上に設けられた印刷部である。例えば、印刷部は、被着面１０１ａ及び／又は被着面１０１ｂに設けられた加飾印刷等である。
【００２８】
３）少なくとも一つの段差Ｓは、第２層１００ｂの被着面１０１ｂ上に設けられた少なくとも一つの電極である。この場合、第２層１００ｂは電極基材層となる。以下、この電極には、説明の便宜上、段差Ｓと異なる符号１１０ｂを付す。
【００２９】
電極１１０ｂは、Ａ）表面型静電容量（Ｓｕｒｆａｃｅ  Ｃａｐａｃｉｔｉｖｅ）方式及びＢ）投影型静電容量（Ｐｒｏｊｅｃｔｅｄ  Ｃａｐａｃｉｔｉｖｅ）方式の何れか一方により検出対象（例えば、指又はタッチペンの導体）の光学積層体Ｌ１の最表層に対する接近を検出可能な構成とすることが可能である。
【００３０】
Ａの場合、電極１１０ｂは透明導電膜である。前記透明導電膜は、例えば、ＩＴＯ（酸化インジウム＋酸化錫）又はＡＴＯ（アンチモン酸化スズ）等で構成されており且つ検出対象の最表層に対する接近に応じて、当該電極１１０ｂの四つの角部の電界値が変化する構成となっている。
【００３１】
Ｂの場合、電極１１０ｂは、Ｂ１）自己キャパシタンス方式（Ｓｅｌｆ  ｃａｐａｃｉｔａｎｃｅ  ｔｙｐｅ）又は相互キャパシタンス方式（Ｍｕｔｕａｌ  ｃａｐａｃｉｔａｎｃｅ  ｔｙｐｅ）に対応している。Ｂ１及びＢ２の何れの場合も、電極１１０ｂは、透明導電膜又は導体である。前記透明導電膜は、例えば、ＩＴＯ（酸化インジウム＋酸化錫）、ＣＮＴ（カーボンナノチューブ）、ＩＺＯ（酸化インジウム＋酸化亜鉛）、ＡＺＯ（ＡＩドープ酸化亜鉛）又は導電性高分子（ＰＥＤＯＴ又はＰＳＳ）等で構成されている。前記導体は、例えば、感光性銀、銀ナノインク、銀ナノワイヤ、蒸着銅、圧延銅又は銅ナノインク等である。
【００３２】
Ｂ１の場合、電極１１０ｂは、一又は複数である。電極１１０ｂは、検出対象が少なくとも一つの電極１１０ｂに接近すると、当該電極１１０ｂと検出対象との間に発生する静電容量が変化し、静電容量の変化に応じて電極１１０ｂの電気信号（電圧又は電流）が変化する構成となっている。電極１１０ｂが複数である場合、第２層１００ｂの被着面１０１ｂ上に互いに間隔をあけて設けられていると良い（図１Ｂ参照）。
【００３３】
Ｂ２の場合、電極１１０ｂは複数であって、第２層１００ｂの被着面１０１ｂ上に互いに間隔をあけて設けられている。電極１１０ｂのうち隣り合う電極１１０ｂのうち一方が駆動電極（ドライブ電極）であり、他方が検出電極（センサ電極）となる。例えば、図１Ｂでは、図示左から右へ第１列の電極１１０ｂ、第２列の電極１１０ｂ、第３列の電極１１０ｂ、及び第４列の電極１１０ｂを有しており、第１列の電極１１０ｂ及び第３列の電極１１０ｂを駆動電極、第２列の電極１１０ｂ及び第４列の電極１１０ｂを検出電極とすることが可能である。その逆とすることも当然可能である。隣り合う駆動電極と検出電極とが各々静電結合されている。少なくとも一組の隣り合う駆動電極と検出電極に検出対象が接近すると、当該組の隣り合う駆動電極と検出電極の間に発生する静電容量が変化し、静電容量の変化に応じて、検出電極の電気信号（電圧又は電流）が変化する構成となっている。
【００３４】
位相差層２００は、第１層１００ａと第２層１００ｂとの間に配置されたフィルム又はプレートである。位相差層２００は、位相差層２００を通じて画像表示装置Ｄの表示を視認可能な程度の透明性を有する素材で構成されている。位相差層２００は、部分的に透明であっても良いし、全体的に透明であっても良い。位相差層２００は、後述するような可撓性を有していても良いし、リジットであっても良い。位相差層２００の厚み（Ｚ−Ｚ’方向の寸法）は、８０〜３００μｍとすることが可能である。
【００３５】
位相差層２００のリタデーション値は、第１層１００ａのリタデーション値よりも大きい。例えば、位相差層２００のリタデーション値は、３０００〜３００００ｎｍとすることが可能であるが、３００００ｎｍ以上であっても良い。位相差層２００の遅相軸は、画像表示装置Ｄの偏光軸又は吸収軸に対して３０〜６０度であると良い。位相差層２００は、画像表示装置Ｄから照射された直線偏光を円偏光（楕円偏光を含む。）に変換する。直線偏光は、偏光板Ｐを通して見ると、両者の軸関係に応じて透過光量が変化するが、円偏光の場合は変化しない。したがって、偏光板Ｐを介した画像表示装置Ｄの表示の視認性が向上する。位相差層２００のガラス転移温度（Ｔｇ）は、−４０℃〜９５℃（車載用の環境温度）又は−１０℃〜６０℃（民生用の環境温度）以上とすることが可能である。
【００３６】
位相差層２００は、第１層１００ａ側（Ｚ方向側）に位置する第１被着面２０１と、第２層１００ｂ側（Ｚ’方向側）に位置する第２被着面２０２とを有している。第１被着面２０１及び第２被着面２０２の少なくとも一方は、プラズマ表面処理又はエキシマ照射処理がなされた構成とすることが可能であるが、このような処理がなされていなくても構わない。
【００３７】
第１粘着層３００ａは、第１層１００ａの被着面１０１ａと位相差層２００の第１被着面２０１とを貼り合わせている。第１粘着層３００ａは、粘着剤であっても良いし、接着テープ（例えば、ＯＣＡ（Ｏｐｔｉｃａｌ  Ｃｌｅａｒ  Ａｄｈｅｓｉｖｅ；登録商標）等であっても良い。第１粘着層３００ａは、第１粘着層３００ａを通じて画像表示装置Ｄの表示を視認可能な程度の透明性を有する素材で構成されている。第１粘着層３００ａは、透明であっても良い。第１粘着層３００ａは、第１層１００ａの被着面１０１ａと第１粘着層３００ａとの界面に第１層１００ａからアウトガスが発生することを抑制する硬さ（耐アウトガス性）を有している。例えば、第１層１００ａの被着面１０１ａと第１粘着層３００ａとの界面に第１層１００ａからアウトガスが発生することを抑制するために、第１粘着層３００ａの貯蔵弾性率は、以下の１）又は２）の何れかであると良いが、これに限定されることはない。
１）貯蔵弾性率＝１〜１０×１０5Ｐａ（２５℃）
２）貯蔵弾性率＝０．５〜５×１０5Ｐａ（８０℃）
【００３８】
少なくとも一つの段差Ｓが第１層１００ａの被着面１０１ａ上にある場合、第１粘着層３００ａは、少なくとも一つの段差Ｓに接触する部分が第２粘着層３００ｂ側に凸となるように部分的に可撓する。この第１粘着層３００ａの可撓した部分が凸部３１０ａである。凸部３１０ａのＺ−Ｚ’方向の寸法は、１）段差ＳのＺ−Ｚ’方向の寸法より小さい又は２）略同じである。１）の場合、第１粘着層３００ａは、段差Ｓに応じて歪み（凹み）、当該段差Ｓを部分的に吸収する。２）の場合、凸部３１０ａは、段差ＳのＺ−Ｚ’方向の寸法分、Ｚ’方向側（第２粘着層３００ｂ側）に凸となっており、第１粘着層３００ａは、段差Ｓに応じて歪まない（凹まない）。位相差層２００は、凸部３１０ａに接触する部分が第２粘着層３００ｂ側に凸となるように部分的に可撓する。位相差層２００の可撓した部分が凸部２１０である。凸部２１０のＺ−Ｚ’方向の寸法は、３）凸部３１０ａのＺ−Ｚ’方向の寸法より小さい又は４）略同じである。３）の場合、位相差層２００は、凸部３１０ａに応じて歪み（凹み）、当該凸部３１０ａを部分的に吸収する。４）の場合、凸部２１０は、凸部３１０ａのＺ−Ｚ’方向の寸法分、Ｚ’方向側（第２粘着層３００ｂ側）に凸となっており、位相差層２００は、凸部３１０ａに応じて歪まない（凹まない）。なお、少なくとも一つの段差Ｓが第２層１００ｂの被着面１０１ｂ上のみにある場合、第１粘着層３００ａは凸部３１０ａを有しておらず、且つ位相差層２００は凸部２１０を有していない。
【００３９】
また、第１粘着層３００ａの厚み（Ｚ−Ｚ’方向の寸法）は、２５〜１７５μｍとすることが可能である。第１粘着層３００ａのリタデーション値は非常に小さくする（すなわち、光学的に等方又はそれに近くする）ことが可能である。例えば、第１粘着層３００ａのリタデーション値は、０〜５０ｎｍとすることが可能である。又は、第１粘着層３００ａのリタデーション値は大きくことが可能である。この場合、第１粘着層３００ａの遅相軸方向又は進相軸方向が位相差層２００の遅相軸方向又は進相軸方向と同じにすると良いが、これに限定されることはない。
【００４０】
第２粘着層３００ｂは、第２層１００ｂの被着面１０１ｂと位相差層２００の第２被着面２０２とを貼り合わせている。第２粘着層３００ｂは、粘着剤であっても良いし、接着テープ（例えば、ＯＣＡ（Ｏｐｔｉｃａｌ  Ｃｌｅａｒ  Ａｄｈｅｓｉｖｅ；登録商標）等であっても良い。第２粘着層３００ｂは、第２粘着層３００ｂを通じて画像表示装置Ｄの表示を視認可能な程度の透明性を有する素材で構成されている。第２粘着層３００ｂは透明であっても良い。第２粘着層３００ｂは、第１粘着層３００ａよりも柔軟であり、且つ第２粘着層３００ｂが位相差層２００の少なくとも一つの凸部２１０及び／又は第２層１００ｂの少なくとも一つの段差Ｓの形状に応じて歪み（凹み）、位相差層２００の凸部２１０及び／又は第２層１００ｂの段差Ｓを吸収する硬さ（段差追従性）を有している。例えば、第２粘着層３００ｂが少なくとも一つの凸部２１０及び／又は少なくとも一つの段差Ｓの形状に応じて歪むように、第２粘着層３００ｂの貯蔵弾性率は、以下の１）又は２）の何れかであると良いが、これに限定されることはない。
１）第２粘着層：貯蔵弾性率＝１〜２０×１０4Ｐａ（２５℃）
２）第２粘着層：貯蔵弾性率＝１〜１０×１０4Ｐａ（８０℃）
【００４１】
また、第２粘着層３００ｂの厚み（Ｚ−Ｚ’方向の寸法）は、第１粘着層３００ａの厚みよりも大きく且つ第２粘着層３００ｂが位相差層２００の少なくとも一つの凸部２１０及び／又は第２層１００ｂの少なくとも一つの段差Ｓの形状に応じて歪むことができる程度の厚みを有していると良い。例えば、第２粘着層３００ｂの厚みは、５０〜５００μｍとすることが可能である。
【００４２】
第２粘着層３００ｂのリタデーション値は非常に小さくする（すなわち、光学的に等方又はそれに近くする）ことが可能である。例えば、第２粘着層３００ｂのリタデーション値は、０〜５０ｎｍとすることが可能である。又は、第２粘着層３００ｂのリタデーション値は大きくすることも可能である。この場合、第２粘着層３００ｂの遅相軸方向又は進相軸方向が位相差層２００の遅相軸方向又は進相軸方向と同じとすると良いが、これに限定されることはない。
【００４３】
上記した第２層１００ｂの段差Ｓ（電極１１０ｂ）がＩＴＯ電極である場合、第２粘着層３００ｂは、アクリル酸を含有していない構成とすると良い。すなわち、第２層１００ｂの段差Ｓ（電極１１０ｂ）がＩＴＯ電極以外の電極の場合、又は、第２層１００ｂの段差Ｓが上記１）及び２）の少なくとも一方である場合、第２粘着層３００ｂは、アクリル酸を含有していても良い。
【００４４】
以上のようなタッチ入力装置Ｔ１及び光学積層体Ｌ１による場合、第１に、タッチ入力装置Ｔ１及び光学積層体Ｌ１の視認性が低下することも抑制することができる。その理由は以下の通りである。第１粘着層３００ａが上記硬さを有しているため、第１層１００ａと第１粘着層３００ａとの界面に第１層１００ａからアウトガスが発生することを抑制することができ、その結果、前記界面にアウトガスが発生し、当該アウトガスが膨張して前記界面に気泡が発生することを抑制することができる。よって、当該気泡が前記界面に存在することによってタッチ入力装置Ｔ１及び光学積層体Ｌ１の視認性が低下することも抑制することができる。更に、第２粘着層３００ｂが上記硬さを有しているため、第２粘着層３００ｂが第２層１００ｂの位相差層２００の少なくとも一つの凸部２１０（すなわち、第１層１００ａの少なくとも一つの段差Ｓ）及び／又は第２層１００ｂの少なくとも一つの段差Ｓの形状に追従して歪み（凹み）、これを吸収する。よって、第１層１００ａの少なくとも一つの段差Ｓと第１粘着層３００ａと境界部及び／又は第２層１００ｂの少なくとも一つの段差Ｓと第２粘着層３００ｂと境界部に気泡が入り込んでしまうことを抑制することができる。その結果、気泡が前記境界部に存在することによって、タッチ入力装置Ｔ１及び光学積層体Ｌ１の視認性が低下することを抑制することができる。更に、タッチ入力装置Ｔ１及び光学積層体Ｌ１は、第１粘着層３００ａと第２粘着層３００ｂとの間に位相差層２００が介在しているため、偏光板Ｐを介して良好な視認性が得られる。第２層１００ｂ及び／又は第２粘着層３００ｂが位相差を有している場合、画像表示装置Ｄから照射された直線偏光の光が、第２層１００ｂ及び／又は第２粘着層３００ｂに入射することによって乱れることがある。しかし、第２層１００ｂ及び／又は第２粘着層３００ｂが光学的に等方である場合、又は、第２層１００ｂ及び／又は第２粘着層３００ｂの遅相軸方向又は進相軸方向が位相差層２００の遅相軸方向又は進相軸方向と同じである場合、画像表示装置Ｄから照射された直線偏光の光が、第２層１００ｂ及び／又は第２粘着層３００ｂに入射することによって乱れ、乱れた直線偏光の光が位相差層２００に入射することを抑制することができる。よって、偏光板Ｐにより直線偏光の光が好適に円偏光の光に変換されるので、偏光板Ｐを介して良好な視認性が得られる。
【００４５】
第２に、一般的に、耐アウトガス性を有する粘着層と、段差追従性を有する粘着層とを積層した積層粘着層で第１層１００ａの被着面１０１ａと第２層１００ｂの被着面１０１ｂとを貼り合わせた場合、積層粘着層の前述の二つの粘着層の相性によって、二つの粘着層が剥離し易くなる。しかし、タッチ入力装置Ｔ１及び光学積層体Ｌ１は、第１粘着層３００ａが第１層１００ａと位相差層２００とを貼り合わせており、第２粘着層３００ｂが第２層１００ｂと位相差層２００とを貼り合わせているため、各層間の界面で剥離が生じ難い。特に、位相差層２００の第１被着面２０１及び第２被着面２０２の何れか一方が、プラズマ表面処理又はエキシマ照射処理されている場合、位相差層２００と第１粘着層３００ａとの粘着性及び位相差層２００と第２粘着層３００ｂとの粘着性の少なくとも一方を向上させることができる。
【００４６】
第３に、光学積層体Ｌ１に反りが発生することを抑制することができる。光学積層体Ｌ１は、第１粘着層３００ａ及び第２粘着層３００ｂの二つの粘着層を備えているため、当該粘着層の厚みが大きくなる。また、第２粘着層３００ｂは柔軟性が高い。よって、仮に、第１層１００ａの熱膨張率と第２層１００ｂの熱膨張率とが相違していることによって、両者が異なる熱膨張をしたとしても、当該熱膨張の差が第１粘着層３００ａ及び第２粘着層３００ｂによって吸収される。この場合、位相差層２００は、可撓性を有するフィルムを用いると良い。また、光学積層体Ｌ１の反りの発生が抑制される結果、光学積層体Ｌ１に生じる反り応力の発生も抑制することができる。光学積層体Ｌ１に生じる反り応力によって、光学積層体Ｌ１の第１層１００ａ、第１粘着層３００ａ、位相差層２００、第２粘着層３００ｂ及び第２層１００ｂの各界面で剥離が生じる可能性が低減される。
【００４７】
第４に、第２粘着層３００ｂがアクリル酸を含有していない場合、仮に第２層１００ｂの段差ＳがＩＴＯ電極であったとしても、アクリル酸によりＩＴＯ電極が腐食されることがない。
【００４８】
第５に、タッチ入力装置Ｔ１及び光学積層体Ｌ１の低コスト化を図ることができる。上記の通り、第１粘着層３００ａと第２粘着層３００ｂとの間に位相差層２００が介在している、偏光板Ｐを介する視認性を向上させるために、位相差層を別途追加する必要がないからである。
【実施例２】
【００４９】
以下、本発明の実施例２を含む複数の実施例に係るタッチ入力装置Ｔ２について図２Ａ及び図２Ｂを参照しつつ説明する。図２Ａ及び図２Ｂには、実施例２に係るタッチ入力装置Ｔ２が示されている。タッチ入力装置Ｔ２は、光学積層体Ｌ２を備えている。タッチ入力装置Ｔ２は、光学積層体Ｌ２が以下の相違点１〜３で光学積層体Ｌ１と相違している以外、タッチ入力装置Ｔ１と同様の構成となっている。相違点１）光学積層体Ｌ２の第２層１００ｂ’の構成は、光学積層体Ｌ１の第２層１００ｂの構成と相違している。相違点２）光学積層体Ｌ２は、第１層１００ａ、第２層１００ｂ’、少なくとも一つの段差Ｓ、位相差層２００、第１粘着層３００ａ及び第２粘着層３００ｂに加えて、第３層１００ｃ及び第３粘着層３００ｃを備えている。相違点３）第２層１００ｂ’の少なくとも一つの段差Ｓの構成が、光学積層体Ｌ１の第２層１００ｂの少なくとも一つの段差Ｓの構成と相違している。以下、これらの相違点についてのみ詳しく説明し、タッチ入力装置Ｔ２の説明のうち、タッチ入力装置Ｔ１と重複するものについて省略する。なお、図２Ａには、図１Ａと同様にＺ−Ｚ’方向及びＹ−Ｙ’方向が示されている。図２Ｂには、図１Ｂと同様に、Ｙ−Ｙ’方向及びＸ−Ｘ’方向が示されている。Ｚ−Ｚ’方向、Ｙ−Ｙ’方向及びＸ−Ｘ’方向は、実施例１で説明した通りである。
【００５０】
第３層１００ｃは、第２層１００ｂよりもＺ’方向側に配置された電極基材層である。第３層１００ｃは、第３層１００ｃを通じて画像表示装置Ｄの表示を視認可能な程度の透明性を有する樹脂等で構成されている。例えば、第３層１００ｃは、ポリカーボネート（ＰＣ）、シクロオレフィンポリマー（ＣＯＰ）、ポリエチレンテレフタレート（ＰＥＴ）又はガラス基板等で構成されていても良い。第３層１００ｃは、部分的に透明であっても良いし、全体的に透明であっても良い。第３層１００ｃは、光学的に等方であっても良いし、遅相軸又は進相軸が位相差層２００の遅相軸又は進相軸と同じ方向を向いていても良い。
【００５１】
第３層１００ｃは、第２層１００ｂ側（Ｚ方向側）の被着面１０１ｃを有している。第３層１００ｃの被着面１０１ｃ上には、複数の電極１１０ｃがＹ−Ｙ’方向に間隔をあけて設けられている。電極１１０ｃはＸ−Ｘ’方向に延びている。なお、第３層１００ｃの被着面１０１ｃ上には、第２層１００ｂ’の少なくとも一つの段差Ｓと同様の構成の段差（電極１１０ｃを含む。）があっても良い。
【００５２】
第２層１００ｂ’は、被着面１０２ｂ’を更に有している以外、第２層１００ｂと同様の構成となっている。第２層１００ｂ’の被着面１０２ｂ’は、第２層１００ｂ’の第３層１００ｃ側（Ｚ’方向側）の面である。
【００５３】
光学積層体Ｌ２の少なくとも一つの段差Ｓは、第１層１００ａの被着面１０１ａ及び第２層１００ｂ’の被着面１０１ｂ’の少なくとも一方の面上にある。この段差Ｓは、以下の１）〜３）の少なくとも一つとすることが可能である。１）光学積層体Ｌ２の少なくとも一つの段差Ｓは、光学積層体Ｌ１の１）の少なくとも一つの段差Ｓと同じである。２）光学積層体Ｌ２の少なくとも一つの段差Ｓは、光学積層体Ｌ１の２）の少なくとも一つの段差Ｓと同じである。
【００５４】
３）光学積層体Ｌ２の第２層１００ｂ’の少なくとも一つの段差Ｓは、第２層１００ｂ’の被着面１０１ｂ’上にＸ−Ｘ’方向に間隔をあけて設けられた複数の電極である。以下、この電極には、説明の便宜上、第２層１００ｂ’の段差Ｓと異なる符号１１０ｂ’を付す。電極１１０ｂ’は、Ｙ−Ｙ’方向に延びている。この場合、第２層１００ｂ’は電極基材層となる。
【００５５】
電極１１０ｂ’及び電極１１０ｃは、相互キャパシタンス方式（Ｍｕｔｕａｌ  ｃａｐａｃｉｔａｎｃｅ  ｔｙｐｅ）に対応している。電極１１０ｂ’及び電極１１０ｃは、Ｚ−Ｚ’方向の異なる高さ位置で互いに交差又は直交している。電極１１０ｂ’及び電極１１０ｃのうちの何れか一方が駆動電極（ドライブ電極）であり、他方が検出電極（センサ電極）である。電極１１０ｂ’及び電極１１０ｃは、透明導電膜又は導体である。透明導電膜は、ＩＴＯ（酸化インジウム＋酸化錫）、ＣＮＴ（カーボンナノチューブ）、ＩＺＯ（酸化インジウム＋酸化亜鉛）、ＡＺＯ（ＡＩドープ酸化亜鉛）又は導電性高分子（ＰＥＤＯＴ又はＰＳＳ）等で構成されている。導体は、感光性銀やグラフオフセット等で作製された線幅１５μｍ以下の金属（例えば、Ａｇ、Ｃｕ）、銀ナノインク、銀ナノワイヤ、メタルワイヤー、蒸着銅、圧延銅又は銅ナノインク等で構成された導体である。交差又は直交する駆動電極と検出電極とが各々静電結合されている。交差又は直交する少なくとも一組の駆動電極及び検出電極に検出対象が接近すると、当該組の駆動電極と検出電極との間に発生する静電容量が変化し、静電容量の変化に応じて、検出電極の電気信号（電圧又は電流）が変化する構成となっている。なお、電極１１０ｂ’及び電極１１０ｃは、菱形電極とし、自己キャパシタンス方式に対応させることも可能である。
【００５６】
第３粘着層３００ｃは、第２層１００ｂの被着面１０２ｂ’と第３層１００ｃの被着面１０１ｃとを貼り合わせることができるものであれば良い。第３粘着層３００ｃは、第２粘着層３００ｂと同様の構成とすることが可能である。この場合、第３粘着層３００ｃは、第３層１００ｃの電極１１０ｃ等の少なくとも一つの段差の形状に応じて歪む（凹む）硬さ（段差追従性）を有している。
【００５７】
なお、第３層１００ｃ及び第３粘着層３００ｃは省略可能である。この場合、電極１１０ｃは、第３層１００ｃの被着面１０１ｃではなく、第２層１００ｂ’の被着面１０２ｂ’にＹ−Ｙ’方向に間隔をあけて設けられていると良い。これ以外については、電極１１０ｃは上記した通りである。
【００５８】
このようなタッチ入力装置Ｔ２及び光学積層体Ｌ２による場合、タッチ入力装置Ｔ１及び光学積層体Ｌ１の第１〜第５の技術的特徴と同様の技術的特徴を有している。
【実施例３】
【００５９】
以下、本発明の実施例３を含む複数の実施例に係るタッチ入力装置Ｔ３について図３を参照しつつ説明する。図３には、実施例３に係るタッチ入力装置Ｔ３が示されている。タッチ入力装置Ｔ３は、光学積層体Ｌ３を備えている。タッチ入力装置Ｔ３は、光学積層体Ｌ３が以下の相違点１で光学積層体Ｌ１と相違している以外、タッチ入力装置Ｔ１と同様の構成となっている。相違点１）光学積層体Ｌ３の第２層１００ｂの少なくとも一つの段差Ｓの構成が、光学積層体Ｌ１の第２層１００ｂの少なくとも一つの段差Ｓの構成と相違している。以下、この相違点についてのみ詳しく説明し、タッチ入力装置Ｔ３の説明のうち、タッチ入力装置Ｔ１と重複するものについて省略する。なお、図３には、図１Ａと同様にＺ−Ｚ’方向及びＹ−Ｙ’方向が示されている。Ｘ−Ｘ’方向は図示されていないが、Ｚ−Ｚ’方向、Ｙ−Ｙ’方向及びＸ−Ｘ’方向は、実施例１で説明した通りである。
【００６０】
光学積層体Ｌ３の少なくとも一つの段差Ｓは、第１層１００ａの被着面１０１ａ及び第２層１００ｂの被着面１０１ｂの少なくとも一方の面上にある。この段差Ｓは、以下の１）〜３）の少なくとも一つとすることが可能である。１）光学積層体Ｌ３の少なくとも一つの段差Ｓは、光学積層体Ｌ１の１）の少なくとも一つの段差Ｓと同じである。２）光学積層体Ｌ３の段差Ｓは、光学積層体Ｌ１の２）の少なくとも一つの段差Ｓと同じである。
【００６１】
３）光学積層体Ｌ３の第２層１００ｂの少なくとも一つの段差Ｓは、第１電極１１１ｂと、第２電極１１２ｂと、絶縁層１１３ｂとを有している。第１電極１１１ｂは、Ｘ−Ｘ’方向に延びており且つ第２層１００ｂの被着面１０１ｂ上にＹ−Ｙ’方向に間隔をあけて設けられている。絶縁層１１３ｂは、第１電極１１１ｂを覆うように第２層１００ｂの被着面１０１ｂ上に設けられている。第２電極１１２ｂは、Ｙ−Ｙ’方向に延びており且つ絶縁層１１３ｂ上にＸ−Ｘ’方向に間隔をあけて設けられている。これ以外については、第１電極１１１ｂ及び第２電極１１２ｂは、光学積層体Ｌ２の電極１１０ｃ及び電極１１０ｂ’と同様の構成とすることが可能である。
【００６２】
光学積層体Ｌ３の第２層１００ｂの少なくとも一つの段差Ｓが上記３）を含む場合、第２粘着層３００ｂの厚み（Ｚ−Ｚ’方向）は、光学積層体Ｌ１及び光学積層体Ｌ２の第２粘着層３００ｂの厚みよりも大きくしても良い。例えば、光学積層体Ｌ３の第２粘着層３００ｂの厚みは、５０〜５００μｍとすることが可能である。勿論、光学積層体Ｌ３の第２粘着層３００ｂの厚みは、光学積層体Ｌ１及び光学積層体Ｌ２の第２粘着層３００ｂの厚みと同じにしても良い。光学積層体Ｌ３の第２粘着層３００ｂは、少なくとも一つの段差Ｓの第１電極１１１ｂ及び第２電極１１２ｂの少なくとも一方がＩＴＯ電極である場合には、アクリル酸を含有しない構成とすることが可能である。
【００６３】
このようなタッチ入力装置Ｔ３及び光学積層体Ｌ３による場合、タッチ入力装置Ｔ１及び光学積層体Ｌ１の第１〜第５の技術的特徴と同様の技術的特徴を有している。
【００６４】
なお、上記したタッチ入力装置及び光学積層体は、上記実施例に限定されるものではなく、特許請求の範囲の記載範囲において任意に設計変更することが可能である。以下、詳しく述べる。
【００６５】
本発明の光学積層体は、タッチ入力装置に備えられているとしたが、これに限定されない。本発明の光学積層体は、画像表示装置の表示が当該光学積層体を通じてユーザーに視認可能となるように配置されるものであれば良い。本発明の光学積層体が、タッチ入力装置に備えられていない場合、第２層の被着面の段差は、上記１）及び２）の何れかとすることが可能であるし、第２層の被着面の段差は、タッチ入力装置の電極以外の電極（例えば、センサ電極）等とすることも可能である。
【００６６】
なお、上記実施例の各態様及び設計変形例におけるタッチ入力装置及び光学積層体の各構成要素を構成する素材、形状、寸法、数及び配置等はその一例を説明したものであって、同様の機能を実現し得る限り任意に設計変更することが可能である。上記した実施例の各態様及び設計変更例は、互いに矛盾しない限り、相互に組み合わせることが可能である。本発明のＺ−Ｚ’方向は、光学積層体の厚み方向であり且つ光学積層体の各層の積層方向である限り任意に設定可能である。本発明のＹ−Ｙ’方向は、Ｚ−Ｚ’方向に交差する限り任意に設定可能である。本発明のＸ−Ｘ’方向は、Ｚ−Ｚ’方向及びＹ−Ｙ’方向に交差しており且つＺ−Ｚ’方向及びＹ−Ｙ’方向が位置する平面上に位置しない限り任意に設定することができる。
【符号の説明】
【００６７】
Ｔ１：タッチ入力装置
Ｌ１：光学積層体
１００ａ：第１層
１０１ａ：被着面
１００ｂ：第２層
１０１ｂ：被着面
１１０ｂ：電極
段差：Ｓ
２００：位相差層
２０１：第１被着面
２０２：第２被着面
２１０：凸部
３００ａ：第１粘着層
３１０ａ：凸部
３００ｂ：第２粘着層
Ｔ２：タッチ入力装置
Ｌ２：光学積層体
１００ａ：第１層
１０１ａ：被着面
１００ｂ’：第２層
１０１ｂ’：被着面
１１０ｂ’：電極
１０２ｂ’：被着面
１００ｃ：第３層
１０１ｃ：被着面
１１０ｃ：電極
段差：Ｓ
２００：位相差層
２０１：第１被着面
２０２：第２被着面
２１０：凸部
３００ａ：第１粘着層
３１０ａ：凸部
３００ｂ：第２粘着層
３００ｃ：第３粘着層
Ｔ３：タッチ入力装置
Ｌ３：光学積層体
１００ａ：第１層
１０１ａ：被着面
１００ｂ：第２層
１０１ｂ：被着面
Ｓ：段差
１１１ｂ：第１電極
１１２ｂ：第２電極
１１３ｂ：絶縁層
２００：位相差層
２０１：第１被着面
２０２：第２被着面
２１０：凸部
３００ａ：第１粘着層
３１０ａ：凸部
３００ｂ：第２粘着層
Ｄ：画像表示装置
Ｐ：偏光板
【図１Ａ】
2018045567.tif 000003
【図１Ｂ】
2018045567.tif 000004
【図２Ａ】
2018045567.tif 000005
【図２Ｂ】
2018045567.tif 000006
【図３】
2018045567.tif 000007
【手続補正書】
【提出日】平成29年10月11日(2017.10.11)
【手続補正１】
【補正対象書類名】明細書
【補正対象項目名】００１２
【補正方法】変更
【補正の内容】
【００１２】
第２層は、光学的に等方、又は、第２層の遅相軸方向又は進相軸方向が位相差層の遅相軸方向又は進相軸方向と略同じとすることが可能である。このような態様の光学積層体による場合、画像表示装置から照射された直線偏光の光が、第２層に入射することによって乱れ、乱れた光が位相差層に入射することを抑制することができる。
【手続補正２】
【補正対象書類名】明細書
【補正対象項目名】００１６
【補正方法】変更
【補正の内容】
【００１６】
【図１Ａ】本発明の実施例１に係るタッチ入力装置の概略的断面図であり、且つ前記タッチ入力装置、画像表示装置及び偏光板との位置関係を説明するための図である。
【図１Ｂ】前記タッチ入力装置の光学積層体の概略的平面図である。
【図２Ａ】本発明の実施例２に係るタッチ入力装置の概略的断面図であり、且つ前記タッチ入力装置、画像表示装置及び偏光板との位置関係を説明するための図である。
【図２Ｂ】前記タッチ入力装置の光学積層体の概略的平面図である。
【図３】本発明の実施例３に係るタッチ入力装置の概略的断面図であり、且つ前記タッチ入力装置、画像表示装置及び偏光板との位置関係を説明するための図である。
【手続補正３】
【補正対象書類名】明細書
【補正対象項目名】００１８
【補正方法】変更
【補正の内容】
【００１８】
以下、本発明の実施例１を含む複数の実施例に係るタッチ入力装置Ｔ１について図１Ａ及び図１Ｂを参照しつつ説明する。図１Ａ〜図１Ｂには、実施例１に係るタッチ入力装置Ｔ１が示されている。タッチ入力装置Ｔ１は、光学積層体Ｌ１を備えている。光学積層体Ｌ１は、画像表示装置Ｄの前側（光の射出側）に配置可能である。また、光学積層体Ｌ１は、サングラス等の偏光板Ｐと画像表示装置Ｄとの間に配置することも可能である。ユーザーは、偏光板Ｐ及び光学積層体Ｌ１を通じて画像表示装置Ｄの表示を視認可能であるし、偏光板Ｐを介さず光学積層体Ｌ１を通じて画像表示装置Ｄの表示を視認可能である。このため、光学積層体Ｌ１は、光学積層体Ｌ１を通じて画像表示装置Ｄの表示を視認可能な程度の透明性を有している。光学積層体Ｌ１は、部分的に透明であっても良いし、全体的に透明であっても良い。なお、画像表示装置Ｄは、例えば、液晶ディスプレイ (ＬＣＤ）、プラズマディスプレイ （ＰＤＰ）、有機ＥＬディスプレイ （ＯＬＥＤ）、又はＤＬＰプロジェクタ （ＤＬＰ）等であって、直線偏光の光を照射可能である。画像表示装置Ｄ
の光源は、例えば、ＬＥＤ等である。
【手続補正４】
【補正対象書類名】明細書
【補正対象項目名】００２５
【補正方法】変更
【補正の内容】
【００２５】
少なくとも一つの段差Ｓは、第１層１００ａの被着面１０１ａ及び第２層１００ｂの被着面１０１ｂの少なくとも一方上にある。段差Ｓは、以下の１）〜３）の少なくとも一つとすることが可能である。
【手続補正５】
【補正対象書類名】明細書
【補正対象項目名】００３１
【補正方法】変更
【補正の内容】
【００３１】
Ｂの場合、電極１１０ｂは、Ｂ１）自己キャパシタンス方式（Ｓｅｌｆ  ｃａｐａｃｉｔａｎｃｅ  ｔｙｐｅ）又はＢ２）相互キャパシタンス方式（Ｍｕｔｕａｌ  ｃａｐａｃｉｔａｎｃｅ  ｔｙｐｅ）に対応している。Ｂ１及びＢ２の何れの場合も、電極１１０ｂは、透明導電膜又は導体である。前記透明導電膜は、例えば、ＩＴＯ（酸化インジウム＋酸化錫）、ＣＮＴ（カーボンナノチューブ）、ＩＺＯ（酸化インジウム＋酸化亜鉛）、ＡＺＯ（Ａｌドープ酸化亜鉛）又は導電性高分子（ＰＥＤＯＴ又はＰＳＳ）等で構成されている。前記導体は、例えば、感光性銀、銀ナノインク、銀ナノワイヤ、蒸着銅、圧延銅又は銅ナノインク等である。
【手続補正６】
【補正対象書類名】明細書
【補正対象項目名】００３９
【補正方法】変更
【補正の内容】
【００３９】
また、第１粘着層３００ａの厚み（Ｚ−Ｚ’方向の寸法）は、２５〜１７５μｍとすることが可能である。第１粘着層３００ａのリタデーション値は非常に小さくする（すなわち、光学的に等方又はそれに近くする）ことが可能である。例えば、第１粘着層３００ａのリタデーション値は、０〜５０ｎｍとすることが可能である。又は、第１粘着層３００ａのリタデーション値は大きくすることが可能である。この場合、第１粘着層３００ａの遅相軸方向又は進相軸方向が位相差層２００の遅相軸方向又は進相軸方向と同じにすると良いが、これに限定されることはない。
【手続補正７】
【補正対象書類名】明細書
【補正対象項目名】００４４
【補正方法】変更
【補正の内容】
【００４４】
以上のようなタッチ入力装置Ｔ１及び光学積層体Ｌ１による場合、第１に、タッチ入力装置Ｔ１及び光学積層体Ｌ１の視認性が低下することも抑制することができる。その理由は以下の通りである。第１粘着層３００ａが上記硬さを有しているため、第１層１００ａと第１粘着層３００ａとの界面に第１層１００ａからアウトガスが発生することを抑制することができ、その結果、前記界面にアウトガスが発生し、当該アウトガスが膨張して前記界面に気泡が発生することを抑制することができる。よって、当該気泡が前記界面に存在することによってタッチ入力装置Ｔ１及び光学積層体Ｌ１の視認性が低下することも抑制することができる。更に、第２粘着層３００ｂが上記硬さを有しているため、第２粘着層３００ｂが第２層１００ｂの位相差層２００の少なくとも一つの凸部２１０（すなわち、第１層１００ａの少なくとも一つの段差Ｓ）及び／又は第２層１００ｂの少なくとも一つの段差Ｓの形状に追従して歪み（凹み）、これを吸収する。よって、第１層１００ａの少なくとも一つの段差Ｓと第１粘着層３００ａとの境界部及び／又は第２層１００ｂの少なくとも一つの段差Ｓと第２粘着層３００ｂとの境界部に気泡が入り込んでしまうことを抑制することができる。その結果、気泡が前記境界部に存在することによって、タッチ入力装置Ｔ１及び光学積層体Ｌ１の視認性が低下することを抑制することができる。更に、タッチ入力装置Ｔ１及び光学積層体Ｌ１は、第１粘着層３００ａと第２粘着層３００ｂとの間に位相差層２００が介在しているため、偏光板Ｐを介して良好な視認性が得られる。第２層１００ｂ及び／又は第２粘着層３００ｂが位相差を有している場合、画像表示装置Ｄから照射された直線偏光の光が、第２層１００ｂ及び／又は第２粘着層３００ｂに入射することによって乱れることがある。しかし、第２層１００ｂ及び／又は第２粘着層３００ｂが光学的に等方である場合、又は、第２層１００ｂ及び／又は第２粘着層３００ｂの遅相軸方向又は進相軸方向が位相差層２００の遅相軸方向又は進相軸方向と同じである場合、画像表示装置Ｄから照射された直線偏光の光が、第２層１００ｂ及び／又は第２粘着層３００ｂに入射することによって乱れ、乱れた直線偏光の光が位相差層２００に入射することを抑制することができる。よって、偏光板Ｐにより直線偏光の光が好適に円偏光の光に変換されるので、偏光板Ｐを介して良好な視認性が得られる。
【手続補正８】
【補正対象書類名】明細書
【補正対象項目名】００４８
【補正方法】変更
【補正の内容】
【００４８】
第５に、タッチ入力装置Ｔ１及び光学積層体Ｌ１の低コスト化を図ることができる。上記の通り、第１粘着層３００ａと第２粘着層３００ｂとの間に位相差層２００が介在しているため、偏光板Ｐを介する視認性を向上させるために、位相差層を別途追加する必要がないからである。
【手続補正９】
【補正対象書類名】明細書
【補正対象項目名】００５５
【補正方法】変更
【補正の内容】
【００５５】
電極１１０ｂ’及び電極１１０ｃは、相互キャパシタンス方式（Ｍｕｔｕａｌ  ｃａｐａｃｉｔａｎｃｅ  ｔｙｐｅ）に対応している。電極１１０ｂ’及び電極１１０ｃは、Ｚ−Ｚ’方向の異なる高さ位置で互いに交差又は直交している。電極１１０ｂ’及び電極１１０ｃのうちの何れか一方が駆動電極（ドライブ電極）であり、他方が検出電極（センサ電極）である。電極１１０ｂ’及び電極１１０ｃは、透明導電膜又は導体である。透明導電膜は、ＩＴＯ（酸化インジウム＋酸化錫）、ＣＮＴ（カーボンナノチューブ）、ＩＺＯ（酸化インジウム＋酸化亜鉛）、ＡＺＯ（Ａｌドープ酸化亜鉛）又は導電性高分子（ＰＥＤＯＴ又はＰＳＳ）等で構成されている。導体は、感光性銀やグラフオフセット等で作製された線幅１５μｍ以下の金属（例えば、Ａｇ、Ｃｕ）、銀ナノインク、銀ナノワイヤ、メタルワイヤー、蒸着銅、圧延銅又は銅ナノインク等で構成された導体である。交差又は直交する駆動電極と検出電極とが各々静電結合されている。交差又は直交する少なくとも一組の駆動電極及び検出電極に検出対象が接近すると、当該組の駆動電極と検出電極との間に発生する静電容量が変化し、静電容量の変化に応じて、検出電極の電気信号（電圧又は電流）が変化する構成となっている。なお、電極１１０ｂ’及び電極１１０ｃは、菱形電極とし、自己キャパシタンス方式に対応させることも可能である。
【手続補正１０】
【補正対象書類名】明細書
【補正対象項目名】００６７
【補正方法】変更
【補正の内容】
【００６７】
Ｔ１：タッチ入力装置
Ｌ１：光学積層体
１００ａ：第１層
１０１ａ：被着面
１００ｂ：第２層
１０１ｂ：被着面
１１０ｂ：電極
段差：Ｓ
２００：位相差層
２０１：第１被着面
２０２：第２被着面
２１０：凸部
３００ａ：第１粘着層
３１０ａ：凸部
３００ｂ：第２粘着層
Ｔ２：タッチ入力装置
Ｌ２：光学積層体
１００ａ：第１層
１０１ａ：被着面
１００ｂ’：第２層
１０１ｂ’：被着面
１１０ｂ’：電極
１０２ｂ’：被着面
１００ｃ：第３層
１０１ｃ：被着面
１１０ｃ：電極
Ｓ：段差
２００：位相差層
２０１：第１被着面
２０２：第２被着面
２１０：凸部
３００ａ：第１粘着層
３１０ａ：凸部
３００ｂ：第２粘着層
３００ｃ：第３粘着層
Ｔ３：タッチ入力装置
Ｌ３：光学積層体
１００ａ：第１層
１０１ａ：被着面
１００ｂ：第２層
１０１ｂ：被着面
Ｓ：段差
１１１ｂ：第１電極
１１２ｂ：第２電極
１１３ｂ：絶縁層
２００：位相差層
２０１：第１被着面
２０２：第２被着面
２１０：凸部
３００ａ：第１粘着層
３１０ａ：凸部
３００ｂ：第２粘着層
Ｄ：画像表示装置
Ｐ：偏光板
【手続補正１１】
【補正対象書類名】特許請求の範囲
【補正対象項目名】全文
【補正方法】変更
【補正の内容】
【特許請求の範囲】
【請求項１】
光学積層体を通じて画像表示装置の表示を視認可能な程度の透明性を有する前記光学積層体において、
アウトガスを発生可能な素材で構成されており且つ被着面を有する第１層と、
被着面を有する第２層と、
前記第１層の前記被着面上及び前記第２層の前記被着面上の少なくとも一方にある段差と、
前記第１層と前記第２層との間に配置されており、且つ前記第１層側に位置する第１被着面及び前記第２層側に位置する第２被着面を有する位相差層と、
前記第１層の前記被着面と前記位相差層の前記第１被着面とを貼り合わせた第１粘着層であって、前記第１層と前記第１粘着層との界面に前記アウトガスが発生することを抑制する硬さを有する前記第１粘着層と、
前記第２層の前記被着面と前記位相差層の前記第２被着面とを貼り合わせた第２粘着層であって、前記第１粘着層よりも柔軟であり、且つ前記第２粘着層が前記段差により歪み、当該段差を吸収する硬さを有する第２粘着層とを備えている光学積層体。
【請求項２】
請求項１記載の光学積層体において、
前記第１層のリタデーション値は、０〜３０００ｎｍであり、
前記位相差層のリタデーション値は、３０００〜３００００ｎｍである光学積層体。
【請求項３】
請求項１〜２の何れか一つに記載の光学積層体において、
前記位相差層の前記第１被着面及び前記第２被着面の少なくとも一方は、プラズマ表面処理又はエキシマ照射処理がなされた構成である光学積層体。
【請求項４】
請求項１〜３の何れか一つに記載の光学積層体において、
前記段差は、以下の１）〜３）の少なくとも一つであり、
１）前記段差は、前記被着面に形成された凸部及び凹部の少なくとも一方であり、
２）前記段差は、前記被着面上に設けられた印刷部であり、
３）前記段差は、前記第２層の前記被着面上に設けられた電極を含む、光学積層体。
【請求項５】
請求項１〜４の何れか一つに記載の光学積層体において、
前記第２層は、光学的に等方、又は前記第２層の遅相軸方向又は進相軸方向が前記位相差層の遅相軸方向又は進相軸方向と略同じである光学積層体。
【請求項６】
請求項１〜５の何れか一つに記載の光学積層体を備えているタッチ入力装置。
【請求項７】
請求項６記載のタッチ入力装置において、
前記段差は、前記第２層の前記被着面上に設けられたＩＴＯ電極を含み、
前記第２粘着層はアクリル酸を含有しないタッチ入力装置。